(57)【要約】      （修正有）【課題】エアコンの室外機に直射日光が当たり、室外機の温度が上昇することにより、冷房能力が低下し、電気使用量が増加するのを回避する。【解決手段】室外機に防炎シ−トとグラスウ−ル、アルミ箔での断熱マットにて、太陽光熱を遮断することにより冷房効率を向上する。マットの形状と維持するため、ワイヤ−メッシュで補強。あらゆるタイプの室外機に取り付けでき、またハトメを使用し、室外機本体にのロ−プ等で簡単に取り付け可能。室外機という事で防犯上燃えない材料を使用。【選択図】図３
2006029756.tif 000002
【特許請求の範囲】
【請求項１】
夏場のエアコンの冷房能力向上と電気使用量の削減を目的にした室外機用防炎シ−ト、グラスウ−ル、アルミ箔、ワイヤ−メッシュで構成された断熱マット。
【請求項２】
小型の室外機本体にハトメ部分を利用しロ−プ等を使用して簡単に取り付けることができる。
【発明の詳細な説明】
【技術分野】
【０００１】本発明は夏場の室外機に当たる直射日光による太陽熱を遮断し、冷房効率を高め電気使用量を削減するマットである。
【背景技術】
【０００２】室外機（特に西日が当たる場所に設置した物）は夏場に直射日光、外気温に影響され能力が低下する。フィンに水を散布する方法もあるが、水の水質によりフィンの腐食等の問題もある。また、電気制御機器が近くにある場合には漏電の心配もある。また、冬期の凍結も考えられる。
【発明の開示】
【発明が解決しようとする課題】
【０００３】水を使用せず。構造が簡単でしかも取り付けは簡単。機器に悪影響を及ぼす事はない。
室外機という事を考慮し、燃えない材料を使用しているため、防犯上安全である。
【発明の効果】
【０００４】本発明により次ぎのような効果がある。
１．エアコン冷房時に直射日光による太陽熱を遮断し室外機の温度上昇を抑える。
２．エアコンの電気使用量の削減ができる。
３．エアコンに無理な負担がかからず長期な寿命が期待できる。
４．取り付けが簡単で、あらゆる機種で設置可能で、安価に供給できる。
５．設置後のメンテが不要。
【実施例】以下本発明の実施例について説明する。【０００５】図１は全体の正面図である。▲１▼は表がアルミ箔、裏が防炎シ−トで４方向双方を固定するため、縫い合わせてある。▲２▼はグラスウ−ルの断熱材である。▲３▼はマットの形状を維持と補強するためのワイヤ−メッシュである。▲４▼は室外機とマツト固定するためロ−プ用ハトメ。【０００６】図２はマットの断面図である。
防炎シ−ト、グラスウ−ル、アルミ箔、ワイヤ−メッシュの構成により、直射日光による太陽熱を遮断する。【０００７】図３は施工例である。図１．２の断熱マットを室外機の上部へ水平に置きマットのハトメを利用し、室外機とマットをロ−プにより固定する。
【図面の簡単な説明】
【０００８】
【図１】断熱マットの正面図である。防炎シ−トの中央部４ヶ所に固定用のハトメ。
【図２】断熱マットの断面図である。防炎シ−ト、グラスウ−ル、アルミ箔、ワイヤ−メッシュを貼り合わせた状態である。
【図３】断熱マットの施工例図である。
【図１】
2006029756.tif 000003
【図２】
2006029756.tif 000004
【図３】
2006029756.tif 000005
【手続補正書】
【提出日】平成17年6月1日(2005.6.1)
【手続補正１】
【補正対象書類名】特許請求の範囲
【補正対象項目名】全文
【補正方法】変更
【補正の内容】
【特許請求の範囲】
【請求項１】
エアコン室外機の上面に載置された状態で固定されて用いられる断熱マットであって、表面にアルミ箔、裏面に防炎シート、内部に形状を維持するための補強用のワイヤーメッシュをそれぞれ配し、固定用のロープを挿通させるためのハトメを備えたことを特徴とする断熱マット。
【請求項２】
前記ハトメは中央部に設けられていることを特徴とする請求項１に記載の断熱マット。
【請求項３】
前記ハトメは４箇所に設けられていることを特徴とする請求項２に記載の断熱マット。
【請求項４】
表面にアルミ箔、裏面に防炎シート、内部に形状を維持するための補強用のワイヤーメッシュをそれぞれ配した断熱マットを、エアコン室外機の上面を全て覆うとともに前記室外機の周囲に張り出すように前記エアコン室外機上に載置し、前記断熱マットに設けられたハトメに挿通したロープで前記断熱マットを前記エアコン室外機に固定することを特徴とするエアコン室外機の遮熱方法。
【請求項５】
前記ハトメは中央部に設けられていることを特徴とする請求項４に記載のエアコン室外機の遮熱方法。
【手続補正２】
【補正対象書類名】明細書
【補正対象項目名】全文
【補正方法】変更
【補正の内容】
【発明の詳細な説明】
【技術分野】
【０００１】
本発明は断熱マット及びエアコン室外機の遮熱方法に係り、特に、夏場のエアコン室外機に当たる直射日光による太陽熱を遮断し、冷房効率を高め電気使用量を削減するための断熱マットに関する。
【背景技術】
【０００２】
エアコン室外機（特に西日が当たる場所に設置した物）は夏場に直射日光、外気温に影響され能力が低下する。フィンに水を散布する方法もあるが、水の水質によりフィンの腐食等の問題もある。また、電気制御機器が近くにある場合には漏電の心配もある。また、冬場の凍結も考えられる。
【発明の開示】
【発明が解決しようとする課題】
【０００３】
水を使用せず、構造が簡単でしかも取り付けも簡単で機器に悪影響を及ぼす事がない断熱マットを提供する。
【０００４】
また、室外機という事を考慮し、燃えない材料を使用することで、防犯上安全な断熱マットを提供する。
【課題を解決するための手段】
【０００５】
上記課題を解決するために、本発明の断熱マットは、エアコン室外機の上面に載置された状態で固定されて用いられる断熱マットであって、表面にアルミ箔、裏面に防炎シート、内部に形状を維持するための補強用のワイヤーメッシュをそれぞれ配し、固定用のロープを挿通させるためのハトメを備えたことを特徴とする。
【０００６】
本発明において、前記ハトメは中央部に設けられていることが好ましい。この場合、前記ハトメは４箇所に設けられていることが好ましい。
【０００７】
また、本発明のエアコン室外機の遮熱方法は、表面にアルミ箔、裏面に防炎シート、内部に形状を維持するための補強用のワイヤーメッシュをそれぞれ配した断熱マットを、エアコン室外機の上面を全て覆うとともに前記室外機の周囲に張り出すように前記エアコン室外機上に載置し、前記断熱マットに設けられたハトメに挿通したロープで前記断熱マットを前記エアコン室外機に固定することを特徴とする。この場合に、前記ハトメは中央部に設けられていることが好ましい。
【発明の効果】
【０００８】
本発明により次のような効果がある。
１．エアコン冷房時に直射日光による太陽熱を遮断し室外機の温度上昇を抑える。
２．エアコンの電気使用量の削減ができる。
３．エアコンに無理な負担がかからず長期の寿命が期待できる。
４．取り付けが簡単で、あらゆる機種で設置可能で、安価に供給できる。
５．設置後のメンテが不要。
【実施例】
【０００９】
以下、本発明の実施例について説明する。
【００１０】
図１は断熱マットの全体の正面図である。１は裏の防炎シート、２は表のアルミ箔、４方向双方を固定するため、縫い合わせてある。３はグラスウールの断熱材である。４は断熱マット６の形状を維持し、補強するためのワイヤーメッシュである。５は室外機と断熱マット６を固定するためのロープ用ハトメである。
【００１１】
図２は断熱マット６の断面図である。断熱マット６は、防炎シート１、グラスウール３、アルミ箔２、ワイヤーメッシュ４の構成により、直射日光による太陽熱を遮断する。防炎シート１、グラスウール３、アルミ箔２、ワイヤーメッシュ４を貼り合わせた状態である。防炎シート１の中央部４ヶ所に固定用のハトメ５が形成されている。
【００１２】
図３は施工例である。図１、２の断熱マット６を室外機の上部へ水平に置き、断熱マット６のハトメ５を利用し、室外機と断熱マット６をロープ８により固定する。このとき、図３に示すように、断熱マットは室外機の上面を覆うとともに、室外機の周囲に張り出すように室外機上に載置されている。ロープ８は、下方から上方へ向けて断熱マット６の４つのハトメ５のうち正面側の図示左のハトメ５に挿通され、断熱マット６上を図示右側に伸び、正面側の図示右のハトメ５に挿通されて下方に伸び、室外機の底部を通過して背面側へ出て上方に伸び、背面側の図示右のハトメ５に挿通されて断熱マット６上を図示左に伸び、背面側の図示左のハトメ５に挿通されて下方に伸び、室外機の底部を通過して正面側に出て上方に伸び、最初の正面側の図示左のハトメ５に挿通される態様で、断熱マット６を室外機に固定している。
【図面の簡単な説明】
【００１３】
【図１】断熱マットの正面図である。
【図２】断熱マットの断面図である。
【図３】断熱マットの施工例の正面図、側面図及び平面図である。